(57)【要約】【課題】シートの端部に存在する画像の面積が小さい場合におけるシートの供給タイミングを早める制御の簡易化を図ることを目的とする。【解決手段】制御部は、印刷データのうち、最初に現像剤像が形成される先頭ページにおける幅方向両端部の所定領域に存在する画像の面積を取得する取得処理（Ｓ１２，Ｓ１３）と、加熱部の温度が定着温度になるように加熱部を加熱する加熱処理と、所定タイミングから所定時間Ｚｔｈ後にシート供給部によってシートの供給を開始する供給処理（Ｓ１７，Ｓ１８）と、を実行し、前記先頭ページにおける所定領域に存在する画像の面積が所定面積以下のときには（Ｓ１４：Ｙｅｓ）、供給処理における所定時間Ｚｔｈを、画像の面積が所定面積よりも大きい場合（第２時間Ｚ２）に比べて短い時間（第１時間Ｚ１）に設定する。【選択図】図６
2019152689.tif 000002
【特許請求の範囲】
【請求項１】
シートの停止状態と搬送状態を切替可能なシート供給部と、
シートに現像剤像を形成する現像剤像形成部と、
シートを加熱する加熱部を有する定着器と、
制御部と、を備え、
前記制御部は、
印刷処理を開始するとき、
印刷データのうち、最初に現像剤像が形成される先頭ページにおける幅方向両端部の所定領域に存在する画像の面積を取得する取得処理と、
前記加熱部の温度が定着温度になるように前記加熱部を加熱する加熱処理と、
印刷処理の開始後の所定タイミングから所定時間後に前記シート供給部によってシートの供給を開始する供給処理と、を実行し、
前記先頭ページにおける前記所定領域に存在する画像の面積が所定面積以下のときには、前記供給処理における前記所定時間を、前記画像の面積が所定面積よりも大きい場合に比べて短い時間に設定することを特徴とする画像形成装置。
【請求項２】
前記所定タイミングは、前記加熱処理を開始したタイミングであることを特徴とする請求項１に記載の画像形成装置。
【請求項３】
前記制御部は、
前記加熱処理において、前記取得処理と並行して、前記加熱部の温度を前記定着温度よりも低い第１温度になるように前記加熱部を加熱する第１加熱処理と、
前記第１加熱処理の終了後に、前記加熱部の温度が定着温度になるように前記加熱部を加熱する第２加熱処理とを実行することを特徴とする請求項１に記載の画像形成装置。
【請求項４】
前記所定タイミングは、前記第２加熱処理を開始したタイミングであることを特徴とする請求項３に記載の画像形成装置。
【請求項５】
前記所定タイミングは、前記加熱処理を開始して、前記加熱部の温度が前記定着温度よりも低い第２温度に達したタイミングであることを特徴とする請求項１に記載の画像形成装置。
【請求項６】
前記所定領域は、前記先頭ページにおける幅方向両端から中央に向けて所定の幅を有し、かつ搬送方向先頭から後端の範囲の矩形の領域であることを特徴とする請求項１から請求項５のいずれか１項に記載の画像形成装置。
【請求項７】
前記所定領域は、前記先頭ページにおける幅方向両端から中央に向けて所定の幅を有し、かつ前記先頭ページにおける搬送方向先頭から所定の長さを有する領域であることを特徴とする請求項１から請求項５のいずれか１項に記載の画像形成装置。
【請求項８】
前記所定領域は、前記先頭ページにおける搬送方向先頭から後端に向けて幅が減少する領域であることを特徴とする請求項１から請求項５のいずれか１項に記載の画像形成装置。
【請求項９】
前記制御部は、
前記取得処理において、
印刷データを受信したときに、印刷データをベクトルデータあるいはビットマップデータからなるオブジェクトデータに展開する展開処理を実行し、
前記所定領域に存在するオブジェクトデータの外接矩形の面積を、前記画像の面積として取得することを特徴とする請求項１から請求項８のいずれか１項に記載の画像形成装置。
【請求項１０】
前記制御部は、
前記展開処理において色ごとにオブジェクトデータを展開し、
前記所定領域に存在する各色のオブジェクトデータの外接矩形の面積を加算した値を、前記画像の面積として取得することを特徴とする請求項９に記載の画像形成装置。
【請求項１１】
前記所定面積は、０であることを特徴とする請求項１から請求項１０のいずれか１項に記載の画像形成装置。
【請求項１２】
前記制御部は、前記取得処理において、前記画像のドット数を前記画像の面積として取得することを特徴とする請求項１から請求項８のいずれか１項に記載の画像形成装置。
【請求項１３】
シートの停止状態と搬送状態を切替可能なシート供給部と、シートに現像剤像を形成する現像剤像形成部と、シートを加熱する加熱部を有する定着器と、を有する画像形成装置の制御方法であって、
印刷処理を開始するとき、
印刷データのうち、最初に現像剤像が形成される先頭ページにおける幅方向両端部の所定領域に存在する画像の面積を取得する取得処理と、
前記加熱部の温度が定着温度になるように前記加熱部を加熱する加熱処理と、
印刷処理の開始後の所定タイミングから所定時間後に前記シート供給部によってシートの供給を開始する供給処理と、を実行し、
前記先頭ページにおける前記所定領域に存在する画像の面積が所定面積以下のときには、前記供給処理における前記所定時間を、前記画像の面積が所定面積よりも大きい場合に比べて短い時間に設定することを特徴とする制御方法。
【発明の詳細な説明】
【技術分野】
【０００１】
本発明は、シートを加熱する定着器と、シートを供給するシート供給部とを備えた画像形成装置と制御方法に関する。
【背景技術】
【０００２】
電子写真方式のプリンタの定着器では、印刷指令を受けてから定着器の加熱部の温度を定着温度まで上昇させる場合に、加熱部の中央部よりも両端部の方が温度上昇が遅くなる場合がある。このような場合には、加熱部の端部の温度が十分高くなるまで、詳しくは端部の温度が所定の印刷開始温度になるまで、印刷を開始するのを待たなければならないといった問題が生じる。
【０００３】
このような問題に対し、従来、シートの端部の画素密度が所定値以下である場合には、加熱部の端部の温度が通常の印刷開始温度よりも低い温度であっても、印刷を開始するものが知られている（特許文献１参照）。具体的に、この技術では、シートの端部の画素密度が所定値以下である場合には、加熱部の端部の温度が印刷開始温度よりも低い所定温度になるまで待ち、所定温度になったときに印刷を開始している。
【先行技術文献】
【特許文献】
【０００４】
【特許文献１】特開２００６−１１１２０号公報
【発明の概要】
【発明が解決しようとする課題】
【０００５】
しかしながら、従来では、加熱部の端部の温度に基づいて印刷開始のタイミング、つまりシートの供給タイミングを決めているため、制御が複雑になる問題があった。
【０００６】
そこで、本発明は、シートの端部に存在する画像の面積が小さい場合におけるシートの供給タイミングを早める制御の簡易化を図ることを目的とする。
【課題を解決するための手段】
【０００７】
前記課題を解決するため、本発明に係る画像形成装置は、シートの停止状態と搬送状態を切替可能なシート供給部と、シートに現像剤像を形成する現像剤像形成部と、シートを加熱する加熱部を有する定着器と、制御部と、を備える。
前記制御部は、印刷データのうち、最初に現像剤像が形成される先頭ページにおける幅方向両端部の所定領域に存在する画像の面積を取得する取得処理と、前記加熱部の温度が定着温度になるように前記加熱部を加熱する加熱処理と、所定タイミングから所定時間後に前記シート供給部によってシートの供給を開始する供給処理と、を実行し、前記先頭ページにおける前記所定領域に存在する画像の面積が所定面積以下のときには、前記供給処理における前記所定時間を、前記画像の面積が所定面積よりも大きい場合に比べて短い時間に設定する。
【０００８】
また、本発明に係る制御方法は、シートの停止状態と搬送状態を切替可能なシート供給部と、シートに現像剤像を形成する現像剤像形成部と、シートを加熱する加熱部を有する定着器と、を有する画像形成装置の制御方法である。
印刷処理を開始するとき、印刷データのうち、最初に現像剤像が形成される先頭ページにおける幅方向両端部の所定領域に存在する画像の面積を取得する取得処理と、前記加熱部の温度が定着温度になるように前記加熱部を加熱する加熱処理と、印刷処理の開始後の所定タイミングから所定時間後に前記シート供給部によってシートの供給を開始する供給処理と、を実行する。
前記先頭ページにおける前記所定領域に存在する画像の面積が所定面積以下のときには、前記供給処理における前記所定時間を、前記画像の面積が所定面積よりも大きい場合に比べて短い時間に設定する。
【０００９】
これらの構成によれば、供給処理における所定時間を変更するだけでシートの供給タイミングを早めることができるので、従来のような加熱部の端部の温度に基づいてシートの供給タイミングを決める方法よりも、制御を簡易化することができる。
【００１０】
また、前記所定タイミングは、前記加熱処理を開始したタイミングであってもよい。
【００１１】
また、前記制御部は、前記加熱処理において、前記取得処理と並行して、前記加熱部の温度を前記定着温度よりも低い第１温度になるように前記加熱部を加熱する第１加熱処理と、前記第１加熱処理の終了後に、前記加熱部の温度が定着温度になるように前記加熱部を加熱する第２加熱処理とを実行してもよい。
【００１２】
これによれば、第１加熱処理中に取得処理を行うので、印刷をより迅速に開始することができる。
【００１３】
また、前記所定タイミングは、前記第２加熱処理を開始したタイミングであってもよい。
【００１４】
また、前記所定タイミングは、前記加熱処理を開始して、前記加熱部の温度が前記定着温度よりも低い第２温度に達したタイミングであってもよい。
【００１５】
また、前記所定領域は、前記先頭ページにおける幅方向両端から中央に向けて所定の幅を有し、かつ搬送方向先頭から後端の範囲の矩形の領域であってもよい。
【００１６】
また、前記所定領域は、前記先頭ページにおける幅方向両端から中央に向けて所定の幅を有し、かつ前記先頭ページにおける搬送方向先頭から所定の長さを有する領域であってもよい。
【００１７】
また、前記所定領域は、前記先頭ページにおける搬送方向先頭から後端に向けて幅が減少する領域であってもよい。
【００１８】
また、前記制御部は、前記取得処理において、印刷データを受信したときに、印刷データをベクトルデータあるいはビットマップデータからなるオブジェクトデータに展開する展開処理を実行し、前記所定領域に存在するオブジェクトデータの外接矩形の面積を、前記画像の面積として取得してもよい。
【００１９】
これによれば、印刷データをオブジェクトデータに展開した時点で画像の面積を定義できるので、取得処理の処理速度を速めることができる。
【００２０】
また、前記制御部は、前記展開処理において色ごとにオブジェクトデータを展開し、前記所定領域に存在する各色のオブジェクトデータの外接矩形の面積を加算した値を、前記画像の面積として取得してもよい。
【００２１】
また、前記所定面積は、０であってもよい。
【００２２】
また、前記制御部は、前記取得処理において、前記画像のドット数を前記画像の面積として取得してもよい。
【発明の効果】
【００２３】
本発明によれば、シートの端部に存在する画像の面積が小さい場合におけるシートの供給タイミングを早める制御の簡易化を図ることができる。
【図面の簡単な説明】
【００２４】
【図１】本発明の実施形態に係るカラープリンタを示す断面図である。
【図２】制御部の構成を示すブロック図である。
【図３】所定領域の例を示す図（ａ）〜（ｃ）である。
【図４】印刷データをラスタ画像に展開する展開処理を示す図である。
【図５】ヒータおよびモータの制御を示すフローチャートである。
【図６】ピックアップローラの駆動・停止の制御を示すフローチャートである。
【図７】制御部の動作の一例を示すタイムチャートである。
【図８】加熱部の温度が所定温度以下の状況での制御部の動作を示すタイムチャートである。
【発明を実施するための形態】
【００２５】
次に、本発明の実施形態について、適宜図面を参照しながら詳細に説明する。
図１に示すように、カラープリンタ１は、シートＳに画像を形成する画像形成装置の一例であり、本体筐体２内に、シート搬送部２０と、現像剤像形成部の一例としてのプロセス部３０と、定着器８０と、制御部１００とを備えている。
【００２６】
シート搬送部２０は、供給トレイ２１と、シート供給部の一例としてのピックアップローラ２３と、分離ローラ２４と、分離パッド２５と、レジストレーションローラ２９とを備えている。シート搬送部２０は、ピックアップローラ２３によって供給トレイ２１内のシートＳを分離ローラ２４に向けて供給し、分離ローラ２４と分離パッド２５との間でシートＳを１枚に分離する。詳しくは、ピックアップローラ２３は、シートＳの停止状態と搬送状態を切替可能なローラであり、供給トレイ２１内のシートＳに接触して停止した状態から、回転を開始することで供給トレイ２１内のシートＳを送り出す。レジストレーションローラ２９は、シートＳの先端の位置を揃えた後、プロセス部３０に向けてシートＳを搬送する。詳しくは、レジストレーションローラ２９は、搬送されてきたシートＳに対して停止した状態で接触してシートＳの先端の位置を揃え、回転を開始することでシートＳを送り出す。シート搬送部２０によって送り出されたシートＳは、プロセス部３０、定着器８０を通過してカラープリンタ１の外部まで搬送される。
【００２７】
プロセス部３０は、シートＳに現像剤像を形成する部分であり、４つのＬＥＤユニット４０と、４つのプロセスカートリッジ５０と、転写ユニット７０とを備えている。
【００２８】
ＬＥＤユニット４０は、左右方向に並ぶ複数の発光部を有する露光装置である。
【００２９】
プロセスカートリッジ５０は、ドラムカートリッジ５１０と、現像器５３０とを備えている。ドラムカートリッジ５１０は、感光体ドラム５１と、帯電器５２と、クリーニングローラ５５とを備えている。現像器５３０は、現像ローラ５３と、現像剤を収容する現像剤収容室５４とを備えている。
【００３０】
プロセスカートリッジ５０は、ブラック用、イエロー用、マゼンタ用およびシアン用の各色のトナーが入った５０Ｋ，５０Ｙ，５０Ｍ，５０Ｃの符号で示すものがシートＳの搬送方向上流からこの順で並んで配置されている。
【００３１】
転写ユニット７０は、駆動ローラ７１と、従動ローラ７２と、搬送ベルト７３と、転写ローラ７４とを備えている。
【００３２】
駆動ローラ７１および従動ローラ７２は、前後方向に離間して平行に配置され、その間に無端状のベルトからなる搬送ベルト７３が張設されている。搬送ベルト７３の内側には、各感光体ドラム５１との間で搬送ベルト７３を挟持する転写ローラ７４が、各感光体ドラム５１に対向して４つ配置されている。
【００３３】
このように構成されるプロセス部３０では、まず、各感光体ドラム５１の表面が、帯電器５２により帯電された後、各ＬＥＤユニット４０で露光される。これにより、各感光体ドラム５１上に画像データに基づく静電潜像が形成される。その後、静電潜像に現像ローラ５３よりトナーが供給されることで、感光体ドラム５１上に現像剤像が形成される。搬送ベルト７３上に供給されたシートＳが各感光体ドラム５１と各転写ローラ７４との間を通過することで、各感光体ドラム５１上に形成された現像剤像がシートＳ上に転写される。
【００３４】
定着器８０は、プロセス部３０に対してシートＳの搬送方向の下流側に配置されている。定着器８０は、シートＳを加熱して現像剤像をシートＳに定着させる加熱部８１と、加熱部８１に押し付けられる加圧部８２を備えてなる。加熱部８１は、円筒状の加熱ローラであり、金属等からなっている。加熱部８１の内部には、加熱部８１を加熱するヒータ８３が設けられている。ヒータ８３としては、抵抗体であるフィラメントを有し、輻射熱によって加熱部８１のシートＳの通過する範囲を加熱するハロゲンランプを採用することができる。加圧部８２は、表面に弾性層を有する加圧ローラである。
【００３５】
加熱部８１および加圧部８２は、制御部１００によって制御されるモータＭから駆動力を受けることで、回転するように構成されている。そして、定着器８０は、回転する加熱部８１と加圧部８２の間でシートＳを挟持しながら搬送する間に、ヒータ８３によりシートＳを加熱して現像剤像をシートＳに定着させる。
【００３６】
また、定着器８０は、加熱部８１の温度を検出する温度検出部８４を備える。温度検出部８４は、加熱部８１の表面と非接触で対向している。温度検出部８４で検出された温度は、制御部１００に出力される。制御部１００は、温度検出部８４の検出結果に基づいて加熱部８１の温度を取得する。
【００３７】
図２に示すように、制御部１００は、ＣＰＵ、ＲＡＭ、ＲＯＭおよび入出力回路を備えており、外部のコンピュータ２００から出力されてくる印刷データと、温度検出部８４から出力されてくる情報と、ＲＯＭ等に記憶されたプログラムやデータに基づいて各種演算処理を行うことによって、制御を実行する。具体的に、制御部１００は、ＣＰＵなどの演算部１１０と、ヒータ８３やモータＭ等を制御する制御回路１２０と、ＲＡＭやＲＯＭなどのメモリ１３０とを備えている。
【００３８】
制御部１００は、取得処理と、加熱処理と、供給処理とを実行可能となっている。
【００３９】
加熱処理は、加熱部８１の温度が定着温度になるように加熱部８１を加熱する処理である。定着温度は、シートＳ上に形成された現像剤像をシートＳに定着するために、シートＳの厚さや搬送速度等に応じて設定される温度であり、本実施形態では所定の定着温度ＴＨとする。制御部１００は、加熱処理において、加熱部８１の温度を定着温度ＴＨよりも低い第１温度Ｔ１になるように加熱部８１を加熱する第１加熱処理と、第１加熱処理の終了後に、加熱部８１の温度が定着温度ＴＨになるように加熱部８１を加熱する第２加熱処理とを実行する。
【００４０】
詳しくは、制御部１００は、印刷データを受信したときに、後述する取得処理と並行して第１加熱処理を行う。また、制御部１００は、第１加熱処理において、加熱部８１の温度の目標値を第１温度Ｔ１に設定し、温度検出部８４で検出した加熱部８１の温度（以下、検出温度Ｔｓともいう。）が第１温度Ｔ１になるようにヒータ８３への通電を制御する。そして、制御部１００は、第１加熱処理を開始してから所定の規定時間ＺＡが経過したことと、後述する展開処理が完了したことの２つの条件が満たされたときに、第１加熱処理を終了して、第２加熱処理を開始する。制御部１００は、第２加熱処理においては、加熱部８１の温度の目標値を定着温度ＴＨに設定し、検出温度Ｔｓが定着温度ＴＨになるようにヒータ８３への通電を制御する。
【００４１】
供給処理は、所定タイミングから所定時間Ｚｔｈ後に、ピックアップローラ２３によってシートＳの供給を開始する処理である。本実施形態では、所定タイミングを、第２加熱処理を開始したタイミングであることとする。また、制御部１００は、所定タイミングで、モータＭを回転させて定着器８０の駆動、詳しくは加熱部８１および加圧部８２の回転を開始するように構成されている。
【００４２】
取得処理は、印刷データのうち、最初に現像剤像が形成される先頭ページのデータにおける幅方向両端部の所定領域に存在する画像の面積を取得する処理である。以下、印刷データの１ページに対応するデータをページデータとする。ここで、幅方向は、図３（ａ）に示すように、ページデータＰＤの幅、つまりシートＳの幅に沿った方向であり、シートＳの搬送方向に直交する方向である。また、ページデータＰＤの幅方向両端部は、ページデータＰＤの幅方向の中心に位置する中心線ＣＬを基準とした両端部をいう。ここで、シートＳは、幅方向の寸法に係わらず、シートＳの幅方向の中心と、中心線ＣＬとが一致するように搬送される。
【００４３】
所定領域は、例えば、カラープリンタ１で印刷が可能なシートＳの最大の幅がＡ４もしくはレター／リーガル幅である場合には、中心線ＣＬから９０ｍｍ以上離れた領域とすることができる。具体的に、所定領域は、例えば図３（ａ）〜（ｃ）に示すような領域に設定することができる。
【００４４】
図３（ａ）に示す所定領域Ａ１は、印刷データの先頭ページにおける幅方向両端Ｅ１から中央、つまり中心線ＣＬに向けて所定の幅Ｂ１を有し、かつ搬送方向先頭Ｅ２から後端Ｅ３の範囲の矩形の領域である。図３（ｂ）に示す所定領域Ａ２は、印刷データの先頭ページにおける幅方向両端Ｅ１から中心線ＣＬに向けて所定の幅Ｂ２を有し、かつ印刷データの先頭ページにおける搬送方向先頭Ｅ２から所定の長さＬ２を有する領域である。ここで、長さＬ２は、ページデータＰＤの搬送方向の長さＬ１よりも小さい。図３（ｃ）に示す所定領域Ａ３は、印刷データの先頭ページにおける搬送方向先頭Ｅ２から後端Ｅ３に向けて幅が減少する領域である。
【００４５】
制御部１００は、取得処理において、展開処理を実行するように構成されている。展開処理は、受信した印刷データをラスタ画像に展開する処理である。図４に示すように、制御部１００は、展開処理において、印刷データを受信したときに、受信した印刷データを、ベクトルデータあるいはビットマップデータからなるオブジェクトデータＤ１〜Ｄ４に展開する第１処理と、オブジェクトデータＤ１〜Ｄ４を、仮想のシートＳＶ内に配置して、複数のバンドデータＢＤ１〜ＢＤ１５からなるラスタ画像ＲＩに展開する第２処理とを実行可能となっている。
【００４６】
ここで、印刷データは、コンピュータ等の外部機器で作成され、ページ記述言語等で構成されたデータであり、カラープリンタ１の露光用のデータとしては扱うことができない。そこで、制御部１００は、ページ記述言語等からなる印刷データを、露光用のデータであるラスタ画像ＲＩに展開する展開処理を行っている。
【００４７】
オブジェクトデータＤ１〜Ｄ４は、ベクトルデータ、あるいはビットマップデータである。ベクトルデータは、輪郭となるベクトル情報と、塗りつぶしが定義されている。各オブジェクトデータＤ１〜Ｄ４には、仮想のシートＳＶ上における位置情報と大きさなどが関連付けられている。第１処理において、受信した印刷データを展開し、各オブジェクトデータＤ１〜Ｄ４に外接する矩形の枠の一つの頂点に位置する座標Ｐと、幅方向（Ｘ方向）、搬送方向（Ｙ方向）の大きさを取得する。図４では、仮想のシートＳＶの原点座標をＰ０、各オブジェクトデータＤ１〜Ｄ４の、仮想のシートＳＶ上における各オブジェクトデータＤ１〜Ｄ４の起点座標をそれぞれＰ１〜Ｐ４と表記した。
【００４８】
各バンドデータＢＤ１〜ＢＤ１５は、所定数、例えば１０本のラインデータからなっている。つまり、ラスタ画像ＲＩは、複数のラインデータからなっている。ラインデータは、各ＬＥＤユニット４０の複数の発光部のＯＮ・ＯＦＦに対応する二値のデータであり、感光体ドラム５１の回転軸線方向に形成される静電潜像の複数のドットに対応する。制御部１００は、第２処理において、各オブジェクトデータＤ１〜Ｄ４を位置情報に基づいて仮想のシートＳＶ上に配置し、バンドデータＢＤ１〜ＢＤ１５、詳しくはラインデータを、仮想のシートＳＶの搬送方向における一端から順に生成していく。制御部１００は、ラインデータを生成する場合に、そのラインに含まれる全てのオブジェクトデータを参照する。制御部１００は、展開処理を、シートＳの１頁ごとに実行する。
【００４９】
制御部１００は、展開処理の後、所定領域に存在するオブジェクトデータの外接矩形の面積を、所定領域に存在する画像の面積として取得する。詳しくは、制御部１００は、オブジェクトデータの外接矩形の一部が所定領域内に入り、他部が所定領域外に位置する場合には、外接矩形の一部の面積を、所定領域内の画像の面積として取得する。
【００５０】
また、制御部１００は、展開処理において色ごとにオブジェクトデータを展開し、所定領域に存在する各色のオブジェクトデータの外接矩形の面積を加算した値を、所定領域内の画像の面積として取得する。ここで、所定領域内において、各色のオブジェクトデータの外接矩形が重なって配置される場合であっても、制御部１００は、色ごとにオブジェクトデータの外接矩形の面積を求め、これらの面積を加算する。
【００５１】
そして、制御部１００は、取得処理で取得した画像の面積が所定面積以下であるか否かを判断し、所定面積以下のときには、供給処理における所定時間Ｚｔｈを、画像の面積が所定面積よりも大きい場合に比べて短い時間に設定する機能を有している。詳しくは、制御部１００は、取得処理で取得した画像の面積が所定面積以下である場合には、所定時間Ｚｔｈを第１時間Ｚ１に設定し、所定面積よりも大きい場合には、所定時間Ｚｔｈを、第１時間Ｚ１よりも長い第２時間Ｚ２に設定する。なお、所定面積は、どのように設定してもよく、例えば０に設定することができる。
【００５２】
次に、制御部１００の動作について詳細に説明する。制御部１００は、ヒータ８３およびモータＭの制御を図５に示すフローチャートに従って実行するとともに、ピックアップローラ２３の駆動・停止の制御を図６に示すフローチャートに従って実行する。
【００５３】
図５に示すように、制御部１００は、印刷データを受信したか否かを判断する（Ｓ１）。ステップＳ１において印刷データを受信していないと判断した場合には（Ｎｏ）、制御部１００は、本制御を終了する。
【００５４】
ステップＳ１において印刷データを受信したと判断した場合には（Ｙｅｓ）、制御部１００は、第１加熱処理を開始する（Ｓ２）。ステップＳ２において、制御部１００は、第１加熱処理の開始から規定時間ＺＡが経過したか否かという第１条件と、展開処理が完了したか否かという第２条件を判断し、第１条件および第２条件がともに満たされたと判断すると、第１加熱処理を終了する。
【００５５】
ステップＳ２の後、制御部１００は、モータＭを回転させて、加熱部８１および加圧部８２の回転を開始させる（Ｓ３）。
【００５６】
ステップＳ３の後、制御部１００は、第２加熱処理を開始する（Ｓ４）。ステップＳ４の後、制御部１００は、印刷が終了したか否かを判断する（Ｓ５）。ステップＳ５において印刷が終了していないと判断した場合には（Ｎｏ）、制御部１００は、ステップＳ４の処理に戻る。ステップＳ５において印刷が終了したと判断した場合には（Ｙｅｓ）、制御部１００は、本制御を終了する。
【００５７】
図６に示す制御において、制御部１００は、まず、印刷データを受信したか否かを判断する（Ｓ１１）。本実施形態では、印刷データを受信したことに基づいて、印刷処理を開始する。ステップＳ１１において印刷データを受信していないと判断した場合には（Ｎｏ）、制御部１００は、本制御を終了する。
【００５８】
ステップＳ１１において印刷データを受信したと判断した場合には（Ｙｅｓ）、制御部１００は、印刷データの先頭ページについて展開処理を実行する（Ｓ１２）。ステップＳ１２の後、制御部１００は、先頭ページの幅方向両端部の所定領域に存在する画像の面積を取得する（Ｓ１３）。
【００５９】
ステップＳ１３の後、制御部１００は、ステップＳ１３で取得した画像の面積が所定面積以下であるか否かを判断する（Ｓ１４）。ステップＳ１４において画像の面積が所定面積以下であると判断した場合には（Ｙｅｓ）、制御部１００は、所定時間Ｚｔｈを第１時間Ｚ１に設定する（Ｓ１５）。ステップＳ１４において画像の面積が所定面積以下でないと判断した場合には（Ｎｏ）、制御部１００は、所定時間Ｚｔｈを、第１時間Ｚ１よりも長い第２時間Ｚ２に設定する（Ｓ１６）。
【００６０】
ステップＳ１５またはステップＳ１６の後、制御部１００は、第２加熱処理の開始からの経過時間Ｚが所定時間Ｚｔｈ以上になったか否かを判断する（Ｓ１７）。ステップＳ１７において、制御部１００は、Ｚ≧ＺｔｈになるまでステップＳ１７の処理を繰り返し（Ｎｏ）、Ｚ≧Ｚｔｈになったと判断すると（Ｙｅｓ）、ピックアップローラ２３を駆動してシートＳを１枚供給する（Ｓ１８）。
【００６１】
ステップＳ１８の後、制御部１００は、印刷が終了したか否かを判断する（Ｓ１９）。ステップＳ１９において印刷が終了していないと判断した場合には（Ｎｏ）、制御部１００は、ステップＳ１８に戻って、２枚目以降のシートＳを所定のタイミングで供給する。詳しくは、２枚目以降のシートＳは、シートＳ同士の間隔が所定間隔となるように、シートＳを前回供給してから所定の時間の経過後に今回のシートＳが供給されるような、予め設定されたタイミングで供給される。
【００６２】
ステップＳ１９において印刷が終了したと判断した場合には（Ｙｅｓ）、制御部１００は、本制御を終了する。
【００６３】
次に、図７を参照して、レディモードにおける制御部１００の動作の一例について説明する。レディモードとは、印刷データを受信したときに、比較的短時間で印刷を行なうために加熱部８１を定着温度ＴＨより低いレディ温度ＴＲに保持している状態である。
図７に示すように、制御部１００は、レディモードにおいて（時刻ｔ０〜ｔ１）、検出温度Ｔｓが所定のレディ温度ＴＲとなるようにヒータ８３への通電を制御している。ここで、本実施形態では、温度検出部８４が、加熱部８１の幅方向の中央に配置され、加熱部８１の幅方向の中央の温度を検出することとする。ここで、幅方向の中央は、幅方向両端部の所定領域より中心線ＣＬ側の領域であって、カラープリンタ１で印刷が可能なシートＳの最大の幅がＡ４もしくはレター／リーガル幅である場合には、中心線ＣＬから９０ｍｍ以内の幅の領域とすることができる。温度検出部８４は、中心線ＣＬから２０ｍｍ以内の位置に配置することが望ましい。
【００６４】
制御部１００は、レディモードにおいて印刷データを受信すると（時刻ｔ１）、第１加熱処理および取得処理を開始する。制御部１００は、取得処理において取得した所定領域に存在する画像の面積が所定面積以下である場合には、供給処理における所定時間Ｚｔｈを第１時間Ｚ１に設定し、所定面積よりも大きい場合には、所定時間Ｚｔｈを第１時間Ｚ１よりも長い第２時間Ｚ２に設定する。
【００６５】
第１加熱処理の開始から規定時間ＺＡが経過するとともに、展開処理が完了すると、制御部１００は、第１加熱処理から第２加熱処理に移行するとともに、モータＭを回転させて加熱部８１および加圧部８２を回転させる（時刻ｔ２）。そして、第２加熱処理の開始（時刻ｔ２）から所定時間Ｚｔｈ（Ｚ１またはＺ２）が経過すると、制御部１００は、シートＳの供給を開始する（時刻ｔ３または時刻ｔ４）。
【００６６】
ここで、加熱処理を開始した後の加熱部８１の熱分布は、幅方向の中央が両端部よりも高くなる傾向にある。これにより、図に破線で示す加熱部８１の端部の温度が、二点鎖線で示す中央の温度に比べ、定着温度ＴＨに達するタイミングが遅れることがある。そのため、先頭ページの幅方向両端部の所定領域に存在する画像の面積が所定面積よりも大きい場合には、供給処理における所定時間Ｚｔｈを第２時間Ｚ２に設定することで、加熱部８１の端部の温度が定着温度ＴＨ付近まで上がった後に、シートＳの供給を開始する。この場合、シートＳの供給の開始から、シートＳが加熱部８１に到達するまでの供給時間Ｚｆが経過したとき、加熱部８１の端部の温度が定着温度ＴＨに到達しているため、シートＳの幅方向両端部に形成された画像を良好に定着することができる。
【００６７】
これに対し、先頭ページの幅方向両端部の所定領域に存在する画像の面積が所定面積以下の場合には、シートＳの幅方向端部の画像に対して加える熱が少なくても十分定着させることができる。そのため、この場合に、供給処理における所定時間Ｚｔｈを、第２時間Ｚ２よりも短い第１時間Ｚ１に設定することで、加熱部８１の端部の温度が定着温度ＴＨ付近に上がるまで待たずに、シートＳの供給を開始して、印刷を迅速に開始することができる。この場合、シートＳの供給の開始から、シートＳが加熱部８１に到達するまでの供給時間Ｚｆが経過したとき、加熱部８１の中央の温度が定着温度ＴＨに到達しているため、シートＳの幅方向両端部の画像の面積が所定面積以下の場合に良好に定着することができる。
【００６８】
以上によれば、本実施形態において以下のような効果を得ることができる。
供給処理における所定時間Ｚｔｈを変更するだけでシートＳの供給タイミングを早めることができるので、従来のような加熱部の端部の温度に基づいてシートの供給タイミングを決める方法よりも、制御を簡易化することができる。
【００６９】
第１加熱処理と並行して取得処理を行うので、印刷をより迅速に開始することができる。
【００７０】
所定領域に存在するオブジェクトデータの外接矩形の面積を画像の面積として取得することで、印刷データをオブジェクトデータに展開した時点で画像の面積を定義できるので、取得処理の処理速度を速めることができる。
【００７１】
取得処理と並行して行う第１加熱処理における目標温度を、定着温度ＴＨよりも低い第１温度Ｔ１にしているので、取得処理に時間がかかった場合に加熱部８１を無駄に加熱するのを抑制することができる。
【００７２】
なお、本発明は前記実施形態に限定されることなく、以下に例示するように様々な形態で利用できる。以下の説明においては、前記実施形態と略同様の構成には同一の符号を付し、その説明は省略する。
【００７３】
前記実施形態では、レディモードにおいて印刷データを受信した場合の制御部１００の動作を例示したが、本発明はこれに限定されず、図８に示すように、スリープモードなどの加熱部８１の温度が所定温度以下の状況に適用してもよい。スリープモードとは、前回の印刷の終了から所定時間が経過し、消費電力を低減するためにヒータ８３への通電が停止している状態である。このとき、加熱部８１はレディ温度ＴＲより低い温度となっている。スリープモードで印刷データを受信した場合にも、制御部１００は、前記実施形態と同様の動作を行うため、同様の効果を奏することができる。なお、この場合には、規定時間ＺＡ、第１時間Ｚ１または第２時間Ｚ２を、レディモードとは異なる値に設定するのが好ましい。
【００７４】
前記実施形態では、所定タイミングを、第２加熱処理を開始したタイミングとしたが、本発明はこれに限定されず、所定タイミングは、印刷処理の開始後の所定の状態に基づくタイミングであってもよい。例えば、加熱処理を開始したタイミングであってもよいし、加熱処理を開始して、加熱部の温度が定着温度よりも低い第２温度Ｔ２（図８参照）に達したタイミングであってもよい。
【００７５】
前記実施形態では、取得処理において、オブジェクトデータの外接矩形の面積を画像の面積として取得したが、本発明はこれに限定されるものではない。例えば、取得処理において、所定領域内の画像のドット数を画像の面積として取得してもよい。
【００７６】
前記実施形態では、シート供給部としてピックアップローラ２３を例示したが、本発明はこれに限定されず、シート供給部は、シートＳの停止と搬送を制御部１００によって切り替えることができるものであればよい。例えば、シート供給部は、レジストレーションローラ２９であってもよいし、手差しトレイ上のシートを供給するための供給ローラなどであってもよい。
【００７７】
シートＳは、厚紙、はがき、薄紙などの用紙であってもよいし、ＯＨＰシートなどであってもよい。
【００７８】
現像剤像形成部は、任意に構成される。例えば、露光装置としてレーザ光を出射するスキャナにより感光体ドラムを露光するような現像剤像形成部であってもよい。
【００７９】
前記実施形態では、加熱部８１として円筒状の加熱ローラを例示したが、本発明はこれに限定されず、加熱部は、例えば、加圧部との間でエンドレスベルトを挟むニップ板であってもよい。
【００８０】
前記実施形態では、モータＭを回転させることで加熱部８１および加圧部８２の回転を開始、つまり定着器８０の駆動を開始したが、本発明はこれに限定されるものではない。例えば、モータにクラッチを介して定着器を繋ぐ場合には、制御部は、クラッチをＯＮすることによって、定着器の駆動を開始してもよい。
【００８１】
前記実施形態では、ヒータ８３として、抵抗体であるフィラメントを有し、輻射熱によって加熱部８１を加熱するハロゲンランプを例示したが、本発明はこれに限定されず、ヒータ８３は抵抗発熱体を有するセラミックヒータなどであり、熱伝導によって加熱部８１を加熱するよう構成されていてもよい。
【００８２】
前記実施形態では、加熱部８１の表面と非接触となる温度検出部８４を例示したが、本発明はこれに限定されず、温度検出部は、加熱部の表面に接触していてもよい。
【００８３】
前記実施形態では、カラープリンタ１に本発明を適用したが、本発明はこれに限定されず、その他の画像形成装置、例えばモノクロプリンタ、複写機、複合機などに本発明を適用してもよい。
【００８４】
前記実施形態では、印刷データを展開する展開処理と、印刷データの先頭ページにおける幅方向両端部の所定領域に存在する画像の面積を取得する取得処理とをカラープリンタ１の制御部１００が実行するよう構成したが、本発明はこれに限定されず、展開処理と取得処理との一方、もしくは両方を、印刷データを送信するコンピュータや、通信を行っている外部の機器で実行してもよい。
【００８５】
また、前記した実施形態および変形例で説明した各要素を、任意に組み合わせて実施してもよい。
【符号の説明】
【００８６】
１      カラープリンタ
２３    ピックアップローラ
３０    プロセス部
８０    定着器
８１    加熱部
１００  制御部
Ａ１    所定領域
Ｓ      シート
ＴＨ    定着温度
Ｚｔｈ  所定時間
【図１】
2019152689.tif 000003
【図２】
2019152689.tif 000004
【図３】
2019152689.tif 000005
【図４】
2019152689.tif 000006
【図５】
2019152689.tif 000007
【図６】
2019152689.tif 000008
【図７】
2019152689.tif 000009
【図８】
2019152689.tif 000010